(57)【要約】【課題】  高さの異なる熱交換器に対しケーシングの共通化をはかるためドレンパン内に載置した熱交換器の下部に遮風部材を設けた際、同遮風部材を前記熱交換器の側板に形成した切り起こしによって容易に保持できるようにし、且つ凝縮水がドレンパン内で円滑に流通できるようにしたダクト型の空気調和機を提供する。【解決手段】  ケーシング１背面1aの吸込口２と、前面1bの吹出口３とを結ぶ空気通路に、側板5aを備えた熱交換器５と、同熱交換器５を載置して凝縮水を一旦溜めるドレンパン10とを設けてなる空気調和機において、前記熱交換器５の下部に遮風部材11を設ける一方、前記側板5aに前記遮風部材11を保持する保持部5cを設けるとともに、前記凝縮水が前記ドレンパン11内で流通する流通部5bを設けてなる構成にした。【選択図】  図２
2008075928.tif 000002
【特許請求の範囲】
【請求項１】
ケーシング背面の吸込口と、前面の吹出口とを結ぶ空気通路に、側板を備えた熱交換器と、同熱交換器を載置して凝縮水を一旦溜めるドレンパンとを設けてなる空気調和機において、
前記熱交換器の下部に遮風部材を設ける一方、前記側板に前記遮風部材を保持する保持部を設けるとともに、前記凝縮水が前記ドレンパン内で流通する流通部を設けてなることを特徴とする空気調和機。
【請求項２】
前記保持部および前記流通部は、前記側板の一部を切り起こした切起し部により同時に形成してなることを特徴とする請求項１に記載の空気調和機。
【発明の詳細な説明】
【技術分野】
【０００１】
本発明は、ダクト型の空気調和機に係わり、より詳細には、ドレンパン内に載置した熱交換器の下部に遮風部材を設けた際、同遮風部材を前記熱交換器の側板に形成した切り起こしによって容易に保持できるようにし、且つ凝縮水がドレンパン内で円滑に流通できるようにした構造に関する。
【背景技術】
【０００２】
従来のダクト型の空気調和機は、ファンモータからの熱を効率良く放熱して冷房効率を高めたものとして、ケーシング背面の吸込口と、前面の吹出口とを結ぶ空気通路に、熱交換器と、前記熱交換器よりの凝縮水を一旦溜めるドレンパンと、モータ取付台に固定されたファンモータと、前記ファンモータにより駆動されるファンとを配置してなる空気調和機において、前記モータ取付台を前記ドレンパン内に立設しているので、前記ファンモータから発生する殆どの熱は前記モータ取付台を介して凝縮水に伝熱されて凝縮水を温め、温まった凝縮水は排水ホースを介して外部に排水され、ケーシング内の冷気や室内の空気を暖めることなく効率良く放熱できるようにした構造でなるものが開示されていた（例えば、特許文献１参照。）。
【０００３】
しかしながら、例えばフィン高さ４０６ミリメートルの熱交換器を搭載することを前提としてケーシングが設計されているのに対し、異なる冷媒を使用する際、伝熱管を細くするなどにより性能を維持したままフィン高さ３７８ミリメートルの熱交換器を搭載するような場合、吸込口の高さを変更しないでケーシングの共通化をはかるとすれば、熱交換器の高さの違いによりケーシングとの間にクリアランスが生じるため熱交換性能が著しく低下してしまうという問題があった。
【０００４】
そのため、上述したクリアランスを埋めるには熱交換器の底部に遮風部材を設置することになるが、この遮風部材を簡便の構成によって容易に保持できるように構成するとともに、この遮風部材によってドレンパン内での凝縮水の流通が遮られて溜まり込みが生じてしまわないように構成する必要があった。
【特許文献１】特開２００２−２２１９９号公報
【発明の開示】
【発明が解決しようとする課題】
【０００５】
そこで、本発明は上述した課題を解決するためになされたものであって、その目的は、高さの異なる熱交換器に対しケーシングの共通化をはかるためドレンパン内に載置した熱交換器の下部に遮風部材を設けた際、同遮風部材を前記熱交換器の側板に形成した切り起こしによって容易に保持できるようにし、且つ凝縮水がドレンパン内で円滑に流通できるようにしたダクト型の空気調和機を提供することにある。
【課題を解決するための手段】
【０００６】
上述した目的を達成するため、本発明は以下に示す特徴を備えている。
【０００７】
ケーシング背面の吸込口と、前面の吹出口とを結ぶ空気通路に、側板を備えた熱交換器と、同熱交換器を載置して凝縮水を一旦溜めるドレンパンとを設けてなる空気調和機において、
前記熱交換器の下部に遮風部材を設ける一方、前記側板に前記遮風部材を保持する保持部を設けるとともに、前記凝縮水が前記ドレンパン内で流通する流通部を設けてなることを特徴としている。
【０００８】
また、前記保持部および前記流通部は、前記側板の一部を切り起こした切起し部により同時に形成してなることを特徴としている。
【発明の効果】
【０００９】
本発明によれば、ケーシング背面の吸込口と、前面の吹出口とを結ぶ空気通路に、側板を備えた熱交換器と、同熱交換器を載置して凝縮水を一旦溜めるドレンパンとを設けてなる空気調和機において、前記熱交換器の大きさが異なる場合でも、同じケーシングが使用可能であって、前記熱交換器の下部に遮風部材を設ける一方、前記側板に前記遮風部材を保持する保持部を設けるとともに、前記凝縮水が前記ドレンパン内で流通する流通部を設けることで、凝縮水の流通が遮られて溜まり込みが生じてしまわないようにしたダクト型の空気調和機を提供できる。
【発明を実施するための最良の形態】
【００１０】
以下、本発明の実施の形態を、添付図面に基づいた実施例として詳細に説明する。
【００１１】
図１は本発明による空気調和機の斜視図であり、図２は本発明による空気調和機の説明図で、（Ａ）は一例を示す断面図、（Ｂ）は他の例を示す断面図および要部拡大断面図であり、図３は本発明による空気調和機の説明図で、（Ａ）は要部斜視図、（Ｂ）は（Ａ）に示すＡ部の拡大斜視図である。
【００１２】
本発明によるダクト型の空気調和機は、図に示すように、ケーシング１の背面１ａに吸込口２が設けられ、前面１ｂに複数の吹出口３が設けられ、同ケーシング１内の下部にはドレンパン１０が設けられている。
【００１３】
前記吸込口２と、前記複数の吹出口３とを結ぶ空気通路４の、前記吸込口２側のドレンパン１０には、同吸込口２と対向して熱交換器５が載置されており、同熱交換器５は両側部に側板５ａを備えている。
【００１４】
また、前記吹出口３側の中央の前記ドレンパン１０内に載置部とその両側より下方に延出する脚部とにより構成され、下向きコ字状のモータ取付台８が立設され、同モータ取付台８にはファンモータ６が固定されている。
【００１５】
前記ファンモータ６の軸方向の両側には、同ファンモータ６によって駆動される２個の遠心ファンで構成されるファン７が配置されている。
【００１６】
前記ファン７は、その吸込孔９ａが前記ファンモータ６の回転軸の方向に向けられ、吹出孔９ｂが前記吹出口３に望ませたファンケーシング９内に収容されている。
【００１７】
また、前記熱交換器５から滴る凝縮水は前記ドレンパン１０に一旦溜められ、余分な凝縮水は、図３（Ａ）に示す排水口１０ａから排水ホースを介して外部に排水されるようにしている。
【００１８】
そして、上述したように、前記ファンモータ６を固定するモータ取付台８は、前記ドレンパン１０内に立設されており、同ドレンパン１０内に位置するモータ取付台８の脚部には放熱フィン８ａが形成されており、同放熱フィン８ａは凝縮水に浸されるようになっている。
【００１９】
上述した構成において、前記ファンモータ６から発生する熱の一部はファンモータ６自体から放射熱として放熱されるが、殆どの熱は前記モータ取付台８を介して凝縮水に伝熱され、この凝縮水を温めことによって放熱されることになる。
【００２０】
このとき、放熱フィン８ａによりモータ取付台８と凝縮水との接触面積を増やし、より効果的に伝熱してファンモータ６の熱を放熱するようにしている。
【００２１】
次に、高さの異なる熱交換器に対し前記ケーシング１の共通化をはかるため、前記ドレンパン１０に載置した前記熱交換器５の下部に上述した遮風部材１１を設けた際、図２（Ａ）および図２（Ｂ）と、図３とに基づいて、前記遮風部材１１が前記熱交換器５の下部に容易に保持されるようにした構成、および、上述した凝縮水が前記ドレンパン１０内の特定の箇所に溜まり込んでしまうことなく、前記熱交換器５から滴ったのち前記ドレンパン１０内を円滑に流通できるようにした構成について説明する。
【００２２】
前記熱交換器５が、図２（Ａ）に示すように、例えばフィン高さ４０６ミリメートルのものを搭載する前提として設計された前記ケーシング１内のドレンパン１０に載置され、両側部に備えた側板５ａにより前記ケーシング１に固定されている場合について説明する。
【００２３】
この場合、前記熱交換器５から前記ドレンパン１０上に滴った凝縮水は、同熱交換器５を構成して等間隔で平行に並べられた多数のフィン間を流通することで、前記ドレンパン１０上の特定の箇所に溜まり込んでしまうということがなくなる。
【００２４】
次に、図２（Ｂ）および図３に基づいて、前記ケーシング１に接続されるダクトが小型（小径）化されたり、または、異なる冷媒が使用されることで性能を維持したまま前記熱交換器５を構成する伝熱管を細くするなどに伴って、前記ケーシング１の大きさを変えずに共通化する際、図２（Ａ）に示す熱交換器よりも低い、例えばフィン高さ３７８ミリメートルの熱交換器を搭載するとともに、前記ケーシング１の高さに対するクリアランスを埋めるために、前記遮風部材１１が前記熱交換器５の下部に設けられる場合について説明する。
【００２５】
この場合、前記遮風部材１１を設けたことで、前記吸込口２から吸い込まれる吸込空気の一部が前記熱交換器５で熱交換されずに流通してしまうということがなくなり、また、前記熱交換器５から前記ドレンパン１０上に滴った凝縮水は、前記遮風部材１１によって遮水される一方、前記側板５ａの下端部に形成された流通部５ｂによって流通することになるので、前記ドレンパン１０上の特定の箇所に溜まり込んでしまうということがなくなる。
【００２６】
前記流通部５ｂは、図３（Ｂ）に示すように、前記側板５ａの一部に切起し部を形成することによって構成され、この切起し部をなす切起し片５ｃを前記遮風部材１１の側面に係合することによって、同遮風部材１１が保持されることになる。
【００２７】
なお、前記切起し片５ｃは、図２（Ａ）および図２（Ｂ）に示すように、前記遮風部材１１の両側面に対応して形成され、この両側面を挟持することによって前記遮風部材１１が容易に、且つ正確に保持されることになり、切り欠き状の前記流通部５ｂと、前記切起し片５ｃとが上述した切起し部によって同時に形成されるので簡便に構成できる。
【図面の簡単な説明】
【００２８】
【図１】本発明による空気調和機の斜視図である。
【図２】本発明による空気調和機の説明図で、（Ａ）は一例を示す断面図であり、（Ｂ）は他の例を示す断面図および要部拡大断面図である。
【図３】本発明による空気調和機の説明図で、（Ａ）は要部斜視図であり、（Ｂ）は（Ａ）に示すＡ部の拡大斜視図である。
【符号の説明】
【００２９】
１  ケーシング
１ａ  背面
１ｂ  前面
２  吸込口
３  吹出口
４  空気通路
５  熱交換器
５ａ  側板
５ｂ  流通部
５ｃ  切起し片
６  ファンモータ
７  ファン
８  モータ取付台
８ａ  放熱フィン
９  ファンケーシング
１０  ドレンパン
１０ａ  排水口
１１  遮水部材
【図１】
2008075928.tif 000003
【図２】
2008075928.tif 000004
【図３】
2008075928.tif 000005